(57)【要約】  本発明は、主に、スズランの香りを有する１種または複数のアロマの嗅覚的感覚を改質する、および／または増強するための、式（Ｉ）の化合物の１種または複数の立体異性体の使用に関する。本発明はまた、記載の式（Ｉ）の化合物の１種もしくは複数の立体異性体、および記載の式（ＩＩ）の化合物の２種以上の立体異性体を含む、またはそれらからなり、記載の式（ＩＩ）の化合物の立体異性体のある質量比を有する、新規の混合物、記載の混合物を含む、またはそれからなる、芳香組成物、記載の混合物もしくは芳香組成物を含む付香製品にも関する。本発明はまた、記載の式（ＩＩ）の化合物のスズランの香りを改質する、および／もしくは増強する方法、または記載の付香製品を製造する方法にも関する。
2020536129.tif 000002
【特許請求の範囲】
【請求項１】
スズランの香りを有する１種または複数のフレグランスの嗅覚的印象を改質する、および／または増強する、好ましくは増強するための、式（Ｉ）の化合物の１種または複数の立体異性体の使用。
【化１】
2020536129.tif 000034
(I)
【請求項２】
１種または複数のフレグランスが、２−メチル−３−（４−ｔｅｒｔ−ブチルフェニル）プロパナール、２−メチル−３−（３−ｔｅｒｔ−ブチルフェニル）プロパナール、２，５，７，７−テトラメチルオクタナール、４−（１，１−ジメチルエチル）フェニルプロパナール、３−（４−イソプロピルフェニル）プロパナール、オクタヒドロ−８，８−ジメチルナフタレン−２−カルボキシアルデヒド、オクタヒドロ−４，７−メタノインダニリデンブタナール、ベータ−メチル−３−（１−メチルエチル）フェニルプロパナール、２−メチル−３−（３，４−メチレンジオキシフェニル）プロパナール、７−ヒドロキシ−３，７−ジメチルオクタナール、４−（４−ヒドロキシ−４−メチルペンチル）−３−シクロヘキセン−１−カルボキシアルデヒド、２，２−ジメチル−３−（３−メチルフェニル）プロパノール、ｃｉｓ−４−（１−メチルエチル）シクロヘキサンメタノール、１−（４−イソプロピルシクロヘキシル）エタノール、３−メチル−４−フェニルブタン−２−オール、ジメチルフェニル−プロパノール、２−メチル−３−（４−（２−メチルプロピル）フェニル）プロパナール、３−（４−イソブチルフェニル）−２−メチルプロパナール、３，４−ジオキシ（シクロアセトニル）トルエン、３−（１−エトキシエトキシ）−３，７−ジメチル−１，６−オクタジエン、アルファ，アルファ−ジメチル−４−エチルフェニル−プロパナール、ガンマ−メチルフェニルペンタナール、および式（ＩＩ）の化合物からなる群から選択され、
【化２】
2020536129.tif 000035
(II)
好ましくは、フレグランスが、式（ＩＩ）の化合物である、請求項１に記載の使用。
【請求項３】
フレグランス、またはフレグランスの１種が、式（ＩＩ）の化合物の２種以上の立体異性体を含み、またはそれらからなり、
【化３】
2020536129.tif 000036
(II)
好ましくは、式ｃｉｓ−（ＩＩ）（＋）および式ｃｉｓ−（ＩＩ）（−）の化合物の全量
【化４】
2020536129.tif 000037
対式ｔｒａｎｓ−（ＩＩ）（＋）および式ｔｒａｎｓ−（ＩＩ）（−）の化合物の全量
【化５】
2020536129.tif 000038
の質量比が、６５：３５と９５：５の間、好ましくは７０：３０と９０：１０の間、特に好ましくは７５：２５と８５：１５の間である、請求項１または２に記載の使用。
【請求項４】
式（Ｉ）の化合物の１種もしくは複数の立体異性体
【化６】
2020536129.tif 000039
(I)
および式（ＩＩ）の化合物の２種以上の立体異性体
【化７】
2020536129.tif 000040
(II)
を含む、またはそれらからなる混合物であって、
式ｃｉｓ−（ＩＩ）（＋）および式ｃｉｓ−（ＩＩ）（−）の化合物の全量
【化８】
2020536129.tif 000041
対式ｔｒａｎｓ−（ＩＩ）（＋）および式ｔｒａｎｓ−（ＩＩ）（−）の化合物の全量
【化９】
2020536129.tif 000042
の質量比が、６５：３５と９５：５の間、好ましくは７０：３０と９０：１０の間、特に好ましくは７５：２５と８５：１５の間である、混合物。
【請求項５】
式（Ｉ）の化合物の立体異性体の全量
【化１０】
2020536129.tif 000043
(I)
対式（ＩＩ）の化合物の立体異性体の全量
【化１１】
2020536129.tif 000044
(II)
の質量比が、１：１２０００と１：０．５の間、好ましくは１：６００と１：０．７の間、特に好ましくは１：１００と１：１の間であり、
ならびに／または
式（Ｉ）の化合物の立体異性体の全量が、式（ＩＩ）の化合物の２種以上の立体異性体の嗅覚的印象を、改質する、および／もしくは増強する、好ましくは増強するのに十分である、請求項４に記載の混合物。
【請求項６】
式（ＩＩ）の化合物のスズランの香りを改質する、および／または増強する、好ましくは増強する方法であって、
ｉ）式（Ｉ）の化合物の１種または複数の立体異性体を用意するステップと、
【化１２】
2020536129.tif 000045
(I)
ｉｉ）式（ＩＩ）の化合物の２種以上の立体異性体を用意するステップであって、
【化１３】
2020536129.tif 000046
(II)
式ｃｉｓ−（ＩＩ）（＋）および式ｃｉｓ−（ＩＩ）（−）の化合物の全量
【化１４】
2020536129.tif 000047
対式ｔｒａｎｓ−（ＩＩ）（＋）および式ｔｒａｎｓ−（ＩＩ）（−）の化合物の全量
【化１５】
2020536129.tif 000048
の質量比が、６５：３５と９５：５の間、好ましくは７０：３０と９０：１０の間、特に好ましくは７５：２５と８５：１５の間である、ステップと、
ｉｉｉ）ステップｉ）およびステップｉｉ）で用意された化合物を混合するステップであって、好ましくは式（Ｉ）の化合物の１種または複数の立体異性体の量が、式（ＩＩ）の化合物のスズランの香りを改質する、および／または増強する、好ましくは増強するのに十分である、ステップと
を含む、またはそれらからなる、方法。
【請求項７】
式（Ｉ）の化合物の立体異性体の全量
【化１６】
2020536129.tif 000049
(I)
対式（ＩＩ）の化合物の立体異性体の全量
【化１７】
2020536129.tif 000050
(II)
の質量比が、１：１２０００と１：０．５の間、好ましくは１：６００と１：０．７の間、特に好ましくは１：１０と１：１の間である、請求項６に記載の方法。
【請求項８】
ｉ）式（Ｉ）の化合物の１種または複数の立体異性体を用意するステップと、
【化１８】
2020536129.tif 000051
(I)
ｉｉ）式（ＩＩ）の化合物の２種以上の立体異性体を用意するステップであって、
【化１９】
2020536129.tif 000052
(II)
式ｃｉｓ−（ＩＩ）（＋）および式ｃｉｓ−（ＩＩ）（−）の化合物の全量
【化２０】
2020536129.tif 000053
対式ｔｒａｎｓ−（ＩＩ）（＋）および式ｔｒａｎｓ−（ＩＩ）（−）の化合物の全量
【化２１】
2020536129.tif 000054
の質量比が、６５：３５と９５：５の間、好ましくは７０：３０と９０：１０の間、特に好ましくは７５：２５と８５：１５の間である、ステップと、
（ｉｉｉ）ステップ（ｉ）およびステップ（ｉｉ）で用意された化合物を混合するステップと
を含む、またはそれらからなる方法によって得ることができる、混合物、好ましくは請求項４または５に記載の混合物。
【請求項９】
請求項４、５、もしくは８のいずれか１項に記載の混合物、および好ましくはさらに１種もしくは複数の追加のフレグランスを含む、またはそれらからなる、フレグランス組成物、好ましくは香油であって、
好ましくは、追加のフレグランス、または追加のフレグランスのうち１種、複数、もしくは全てが、３−（４−メチル−１−シクロヘキサ−３−エニル）−ブタナール、４−（４−ヒドロキシフェニル）ブタン−２−オン、（Ｅ）−４−（２，６，６−トリメチル−１−シクロヘキサ−２−エニル）ブタ−３−エン−２−オン、（Ｅ）−４−（２，６，６−トリメチル−１−シクロヘキサ−２−エニル）ブタ−３−エン−２−オン、（Ｅ）−１−（２，６，６−トリメチル−シクロヘキセン−１−イル）ペンタ−１−エン−３−オン、（Ｅ）−４−［（１Ｓ）−１，２，６，６−テトラメチルシクロヘキサ−２−エン−１−イル］−ブタ−３−エン−２−オン、１−（２，６，６−トリメチル−１−シクロヘキサ−２−エニル）ペンタ−１−エン−３−オン、［（Ｚ）−ヘキサ−３−エニル］メチルカルボネート、３−［（Ｚ）−ヘキサ−３−エノキシ］プロパンニトリル、１−（２，３，８，８−テトラメチル−１，３，４，５，６，７−ヘキサ−ヒドロナフタレン−２−イル）エタノン、スピロ［１，３−ジオキソラン−２，５’−（４’，４’，８’，８’−テトラメチル−ヘキサヒドロ−３’，９’−メタノナフタレン）］、［３Ｒ−（３α，３ａβ，６β，７β，８ａα）］−オクタ−ヒドロ−６−メトキシ−３，６，８，８−テトラメチル−１Ｈ−３ａ，７−メタノアズレン、［３Ｒ−（３α，３ａβ，７β，８ａα）］−１−（２，３，４，７，８，８ａ−ヘキサヒドロ−３，６，８，８−テトラメチル−１Ｈ−３ａ，７−メタノ−アズレン−５−イル）エタン−１−オン、１−（２，２，６−トリメチル−シクロヘキシル）ヘキサン−３−オール、６，６−ジメトキシ−２，５，５−トリメチルヘキサ−２−エン、２，６−ジメチルオクタ−７−エン−２−オール、３，７−ジメチルオクタ−１，６−ジエン−３−オール、（３，７−ジメチルオクタ−１，６−ジエン−３−イル）アセテート、（４−メチル−１−プロパン−２−イル−１−シクロヘキサ−２−エニル）アセテート、（８Ｅ）−シクロヘキサデカ−８−エン−１−オン、１，３，４，６，７，８−ヘキサヒドロ−４，６，６，７，８，８−ヘキサメチル−シクロペンタ（ｇ）−２−ベンゾピラン、エトキシメトキシ−シクロドデカン、１，１，２，３，３−ペンタメチル−２，５，６，７−テトラヒドロインデン−４−オン、１−（２，３，８，８−テトラメチル−１，３，４，５，６，７−ヘキサ−ヒドロナフタレン−２−イル）エタノンからなる群から選択される、フレグランス組成物、好ましくは香油。
【請求項１０】
式（Ｉ）の化合物の立体異性体の全量が、
【化２２】
2020536129.tif 000055
(I)
式（ＩＩ）の化合物の２種以上の立体異性体の嗅覚的印象を改質する、および／または増強する、好ましくは増強するのに十分である、請求項９に記載のフレグランス組成物。
【化２３】
2020536129.tif 000056
(II)
【請求項１１】
式（Ｉ）の化合物の立体異性体の全量が、
【化２４】
2020536129.tif 000057
(I)
フレグランス組成物の全質量に基づいて、０．０００１〜１０質量％、好ましくは０．００１〜５質量％、特に好ましくは０．０１〜１質量％である、請求項９または１０に記載のフレグランス組成物、好ましくは香油。
【請求項１２】
請求項４、５、もしくは８のいずれか１項に記載の混合物、または好ましくは請求項９から１１のいずれか１項に記載のフレグランス組成物、好ましくは香油を、感覚有効量で含む付香製品であって、混合物または香水組成物の量が、製品の全質量に基づいて、好ましくは０．０１〜１００質量％、好ましくは０．０２〜５０質量％、特に好ましくは０．１〜２０質量％の範囲であり、
好ましくは、製品が、香水抽出物、オーデパルファム、オードトワレ、髭剃りローション、オーデコロン、プレシェーブ製品、スプラッシュコロン、香水入りリフレッシングティッシュ、酸性、アルカリ性、および中性の洗剤、布用芳香剤、アイロンがけ補助剤、液体洗剤、粉末洗剤、洗濯前処理剤、繊維用柔軟剤、洗濯石鹸、洗浄タブレット、消毒剤、表面消毒剤、消臭スプレー、エアゾールスプレー、ワックスおよび研磨剤、ボディケア製品、ハンドクリームおよびハンドローション、フットクリームおよびフットローション、脱毛クリームおよび脱毛ローション、アフターシェーブクリームおよびアフターシェーブローション、日焼けクリームおよび日焼けローション、ヘアケア製品、デオドラントおよび制汗剤、装飾用化粧品、ロウソク、ランプオイル、線香、殺虫剤、防虫剤、および燃料からなる群から選択される、付香製品。
【請求項１３】
付香製品、好ましくは請求項１２に記載の製品を製造する方法であって、
ｉ）請求項４、５、もしくは８のいずれか１項に記載の混合物、または請求項９から１１のいずれか１項に記載のフレグランス組成物を用意するステップと、
（ｉｉ）製造される付香製品の、１種または複数の他の成分を用意するステップと、
（ｉｉｉ）ステップ（ｉｉ）で用意された他の成分を、感覚有効量の、ステップ（ｉ）で用意された成分と接触させる、または混合するステップと
を含む、方法。
【発明の詳細な説明】
【技術分野】
【０００１】
本発明は、主に、スズランの香りを有する１種または複数のフレグランスの嗅覚的印象を改質する、および／または増強するための、本明細書に記載の式（Ｉ）の化合物の１種または複数の立体異性体の使用に関する。本発明は、本明細書に記載の式（Ｉ）の化合物の１種もしくは複数の立体異性体、および本明細書に記載の式（ＩＩ）の化合物の２種以上の立体異性体を含む、またはそれらからなり、本明細書に記載の式（ＩＩ）の化合物の立体異性体のある質量比を有する、新規の混合物、本明細書に記載の混合物を含む、またはそれからなる、フレグランス組成物、本明細書に記載の混合物またはフレグランス組成物を含む付香製品、ならびに本明細書に記載の付香製品を製造するために、それぞれ、本明細書に記載の式（ＩＩ）の化合物のスズランの香りを改質する、および／または増強する方法にさらに関する。
本発明のさらなる態様および好ましい形態は、以下の説明、添付の実施例、および特に添付の特許請求の範囲によるものである。
【背景技術】
【０００２】
既存のフレグランスは多数あるにもかかわらず、香水産業は依然として、新規のフレグランスおよびフレグランス組成物を全般的に必要としている。例えば、フレグランスは、（フレグランス組成物において）主な香気の他に、さらに興味をそそるノートをつくることができ、その新規の、または恣意的な嗅覚特性を有する調香師の可能性を広げることができることが必要である。特に、フローラルのフレグランスおよび／またはフルーツのフレグランスを調和して組み合わせることができる、香りを有するフレグランスは興味深い。好ましくは、全体的に複雑な嗅覚的印象を生み出すために、様々な嗅覚的な態様およびノートが付加されるべきである。
新規の組成物を作出するために、複雑な感覚特徴を有する新規の香水の組成物の基として作用することができる、特別な感覚特性をもつフレグランスが常に必要とされている。
【発明の概要】
【０００３】
主な目的は、例えば、香水のフレグランスとして用いることができる、興味をそそる、好ましくは複雑な、機知に富んだ感覚プロフィールをもつフレグランスを見出すことであった。本発明の関連の中で、スズランの香りを改質する、および／または増強することができる化合物が探し求められた。
探し求められた化合物により、特別な嗅覚的ノートおよび嗅覚的態様をもつ、新規のフレグランス組成物の製造が可能になる。有利なものは、「スズラン」のノートを有する、他のフレグランスとの組み合わせに特に好適な物質であろう。
さらに、この主な目的を満たすフレグランスは、好ましくは、その主な、すなわち嗅覚的な特性に加えて、追加の有益な、副次的な特性、例えば、ある施用条件の下での高い安定性、非常に広範囲に及ぶこと、良好な付着、高い持続性、もしくは香り増強の特性（いわゆるブースターもしくは増強効果）を有するべきであり、ならびに／または顕著な感覚効果を達成することができるように、他のフレグランスと組み合わせて、その自然らしさ、新鮮さ、ふくよかさ、（晴れやかな）パワーおよび／もしくは方散性を仕上げる。
【発明を実施するための形態】
【０００４】
本発明によれば、主な課題は、スズランの香りを有する１種または複数のフレグランスの嗅覚的印象を改質する、および／または増強する、好ましくは強めるために、式（Ｉ）の化合物の１種または複数の立体異性体を使用することによって解決される。
【化１】
2020536129.tif 000003
(I)
【０００５】
本発明が基とする研究の関連において、意外なことに、式（Ｉ）の化合物（Ａｍｂｒｏｃｅｎｉｄｅ（登録商標）、ＣＡＳ  Ｎｏ：２１１２９９−５４−６）が、様々なスズランフレグランスのスズランの香りを改質する、および／または増強する、特に増強するのに極めて良く適することが明らかになった。
【０００６】
本発明によれば、以下のジアステレオマー（Ｉａ）〜（Ｉｄ）のうち１種、２種、３種、または全ては、式（Ｉ）の化合物として使用することができ、個々のジアステレオマー（Ｉａ）〜（Ｉｄ）、またはこれらのジアステレオマーの任意の混合物を使用できることを意味する。
【化２】
2020536129.tif 000004
式（Ｉ）の化合物、特に本明細書に記載の利点について本明細書で述べられることは、個々のジアステレオマー（Ｉａ）〜（Ｉｄ）、およびこれらのジアステレオマーの任意の混合物（上記参照）にも適用される。
【０００７】
好ましくは、本発明による使用は、１種または複数のフレグランスが、２−メチル−３−（４−ｔｅｒｔ−ブチルフェニル）プロパナール、２−メチル−３−（３−ｔｅｒｔ−ブチルフェニル）プロパナール、２，５，７，７−テトラメチルオクタナール、４−（１，１−ジメチルエチル）フェニルプロパナール、３−（４−イソプロピルフェニル）プロパナール、オクタヒドロ−８，８−ジメチルナフタレン−２−カルボキシアルデヒド、オクタヒドロ−４，７−メタノインダニリデンブタナール、ベータ−メチル−３−（１−メチルエチル）フェニルプロパナール、２−メチル−３−（３，４−メチレンジオキシフェニル）プロパナール、７−ヒドロキシ−３，７−ジメチルオクタナール、４−（４−ヒドロキシ−４−メチルペンチル）−３−シクロヘキセン−１−カルボキシアルデヒド、２，２−ジメチル−３−（３−メチルフェニル）プロパノール、ｃｉｓ−４−（１−メチルエチル）シクロヘキサンメタノール、１−（４−イソプロピルシクロヘキシル）エタノール、３−メチル−４−フェニルブタン−２−オール、ジメチルフェニル−プロパノール、２−メチル−３−（４−（２−メチルプロピル）フェニル）プロパナール、３−（４−イソブチルフェニル）−２−メチルプロパナール、３，４−ジオキシ（シクロアセトニル）トルエン、３−（１−エトキシエトキシ）−３，７−ジメチル−１，６−オクタジエン、アルファ，アルファ−ジメチル−４−エチルフェニル−プロパナール、ガンマ−メチルフェニルペンタナール、および式（ＩＩ）の化合物からなる群から選択され、
【０００８】
【化３】
2020536129.tif 000005
(II)
好ましくは、フレグランスが、式（ＩＩ）の化合物である、本明細書に記載の使用に関する。
【０００９】
特に好ましくは、フレグランスが、式（ＩＩ）の化合物の１種もしくは複数の立体異性体を含み、またはそれらからなり、
【化４】
2020536129.tif 000006
(II)
好ましくは、式ｃｉｓ−（ＩＩ）（＋）および式ｃｉｓ−（ＩＩ）（−）の化合物の全量
【化５】
2020536129.tif 000007
対式ｔｒａｎｓ−（ＩＩ）（＋）および式ｔｒａｎｓ−（ＩＩ）（−）の化合物の全量
【化６】
2020536129.tif 000008
の質量比が、６５：３５と９５：５の間、好ましくは７０：３０と９０：１０の間、特に好ましくは７５：２５と８５：１５の間である、本明細書に記載の使用である。
【００１０】
上で定義された範囲の異性体比を有する、本明細書に記載の式（ＩＩ）の化合物の、本発明による使用は、本発明の関連において特に好ましい。上に定義された範囲の異性体比を有する、本明細書に記載の式（ＩＩ）の化合物は、例えば、商標ピラノールで知られている。ピラノールは、比較的揮発性であり、本発明によれば、式（Ｉ）の化合物の１種または複数の立体異性体の添加によって、意外にも、より自然で、より晴れやかになる、スズラン（ムーゲ（ｍｕｇｕｅｔ））の典型的なノートを有する、やわらかいフローラルフレグランスを有する。さらに、式（Ｉ）の化合物の１種または複数の立体異性体の添加により、ピラノールのスズランの香りをより顕著にし（ブースト効果）、その持続性を増す。
【００１１】
式（ＩＩ）の化合物の、一部の異性体混合物、例えば、Ｆｌｏｒｏｌ（登録商標）／Ｆｌｏｒｏｓａ（登録商標）は、一部の例では高価過ぎると認識される。異性体の他の混合物、例えば、ピラノールは、その嗅覚特性に関して、式（ＩＩ）の化合物の異性体の他の混合物に対して、フレグランスの、より少ない特徴、より少ない方散性、および／またはより弱い付着の嗅覚物質であると一部で認識される。意外なことに、式（Ｉ）の化合物の１種または複数の立体異性体の添加は、感覚の高揚（以下の実施例を参照）、すなわちフレグランスの、より多い特徴、より多い方散性、および／またはより強い付着をもたらす。
スズランの香り（上記の通り）を有する、他のフレグランスについて、式（ＩＩ）の化合物を使用する、他の利点は、式（ＩＩ）の化合物が、規制の負担をあまり受けず（無害な分類／ラベル付け）、より良好な費用／性能比を有することである。
【００１２】
本発明による使用の一実施形態によれば、式ｃｉｓ−（ＩＩ）（＋）および式ｃｉｓ−（ＩＩ）（−）の化合物の全量が、主要量の、すなわち式ｃｉｓ−（ＩＩ）（＋）および式ｃｉｓ−（ＩＩ）（−）の化合物の全量に対して５０質量％より多くの、式ｃｉｓ−（ＩＩ）（−）の化合物を含むことが好ましく、好ましくは、６０質量％、７０質量％、８０質量％、もしくは９０質量％の式ｃｉｓ−（ＩＩ）（−）の化合物を含み、または式ｃｉｓ−（ＩＩ）（＋）および式ｃｉｓ−（ＩＩ）（−）の化合物の全量に対して、好ましくは１００質量％の式ｃｉｓ−（ＩＩ）（−）の化合物から本質的になる。
【００１３】
本発明による使用の一実施形態によれば、式ｃｉｓ−（ＩＩ）（＋）および式ｃｉｓ−（ＩＩ）（−）の化合物の全量が、主要量の、すなわち式ｃｉｓ−（ＩＩ）（＋）および式ｃｉｓ−（ＩＩ）（−）の化合物の全量に対して５０質量％より多くの、式ｃｉｓ−（ＩＩ）（＋）の化合物を含むことが好ましく、好ましくは、６０質量％、７０質量％、８０質量％、もしくは９０質量％の式ｃｉｓ−（ＩＩ）（＋）の化合物を含み、または式ｃｉｓ−（ＩＩ）（＋）および式ｃｉｓ−（ＩＩ）（−）の化合物の全量に対して、好ましくは１００質量％の式ｃｉｓ−（ＩＩ）（＋）の化合物から本質的になる。
【００１４】
別の態様によれば、本発明はまた、式（Ｉ）の化合物の１種もしくは複数の立体異性体
【化７】
2020536129.tif 000009
(I)
および式（ＩＩ）の化合物の２種以上の立体異性体
【化８】
2020536129.tif 000010
(II)
を含む、またはそれらからなる混合物であって、
式ｃｉｓ−（ＩＩ）（＋）および式ｃｉｓ−（ＩＩ）（−）の化合物の全量
【００１５】
【化９】
2020536129.tif 000011
対式ｔｒａｎｓ−（ＩＩ）（＋）および式ｔｒａｎｓ−（ＩＩ）（−）の化合物の全量
【化１０】
2020536129.tif 000012
の質量比が、６５：３５と９５：５の間、好ましくは７０：３０と９０：１０の間、特に好ましくは７５：２５と８５：１５の間である、混合物にも関する。
【００１６】
好ましくは、式（Ｉ）の化合物の立体異性体の全量
【化１１】
2020536129.tif 000013
(I)
対式（ＩＩ）の化合物の立体異性体の全量
【００１７】
【化１２】
2020536129.tif 000014
(II)
の質量比が、１：１２０００と１：０．５の間、好ましくは１：６００と１：０．７の間、特に好ましくは１：１００と１：１の間であり、
ならびに／または
式（Ｉ）の化合物の立体異性体の全量が、式（ＩＩ）の化合物の２種以上の立体異性体の嗅覚的印象を、改質する、および／もしくは増強する、好ましくは増強するのに十分である、本明細書に記載の混合物である。
【００１８】
別の態様によれば、本発明はまた、式（ＩＩ）の化合物のスズランの香りを改質する、および／または増強する、好ましくは増強する方法であって、
ｉ）式（Ｉ）の化合物の１種または複数の立体異性体を用意するステップと、
【化１３】
2020536129.tif 000015
(I)
ｉｉ）式（ＩＩ）の化合物の２種以上の立体異性体を用意するステップであって、
【００１９】
【化１４】
2020536129.tif 000016
(II)
式ｃｉｓ−（ＩＩ）（＋）および式ｃｉｓ−（ＩＩ）（−）の化合物の全量
【００２０】
【化１５】
2020536129.tif 000017
対式ｔｒａｎｓ−（ＩＩ）（＋）および式ｔｒａｎｓ−（ＩＩ）（−）の化合物の全量
【化１６】
2020536129.tif 000018
の質量比が、６５：３５と９５：５の間、好ましくは７０：３０と９０：１０の間、特に好ましくは７５：２５と８５：１５の間である、ステップと、
ｉｉｉ）ステップｉ）およびステップｉｉ）で用意された化合物を混合するステップであって、好ましくは式（Ｉ）の化合物の１種または複数の立体異性体の量が、式（ＩＩ）の化合物のスズランの香りを改質する、および／または増強する、好ましくは増強するのに十分である、ステップと
を含む、またはそれらからなる、方法にも関する。
【００２１】
好ましくは、式（Ｉ）の化合物の立体異性体の全量
【化１７】
2020536129.tif 000019
(I)
対式（ＩＩ）の化合物の立体異性体の全量
【化１８】
2020536129.tif 000020
(II)
の質量比が、１：１２０００〜１：０．５、好ましくは１：６００〜１：０．７、特に好ましくは１：１０〜１：１である、本明細書に記載の本発明の方法である。
【００２２】
本発明の別の態様は、
ｉ）式（Ｉ）の化合物の１種または複数の立体異性体を用意するステップと、
【化１９】
2020536129.tif 000021
(I)
ｉｉ）式（ＩＩ）の化合物の２種以上の立体異性体を用意するステップであって、
【化２０】
2020536129.tif 000022
(II)
式ｃｉｓ−（ＩＩ）（＋）および式ｃｉｓ−（ＩＩ）（−）の化合物の全量
【００２３】
【化２１】
2020536129.tif 000023
対式ｔｒａｎｓ−（ＩＩ）（＋）および式ｔｒａｎｓ−（ＩＩ）（−）の化合物の全量
【００２４】
【化２２】
2020536129.tif 000024
の質量比が、６５：３５と９５：５の間、好ましくは７０：３０と９０：１０の間、特に好ましくは７５：２５と８５：１５の間である、ステップと、
（ｉｉｉ）ステップ（ｉ）およびステップ（ｉｉ）で用意された化合物を混合するステップと
を含む、またはそれらからなる方法によって得ることができる、混合物、好ましくは本明細書に記載の混合物に関する。
【００２５】
別の態様によれば、本発明はまた、本明細書に記載の混合物、および好ましくはさらに１種もしくは複数の追加のフレグランスを含む、またはそれらからなる、フレグランス組成物、好ましくは香油であって、
好ましくは、追加のフレグランス、または追加のフレグランスのうち１種、複数、もしくは全てが、３−（４−メチル−１−シクロヘキサ−３−エニル）−ブタナール、４−（４−ヒドロキシフェニル）ブタン−２−オン、（Ｅ）−４−（２，６，６−トリメチル−１−シクロヘキサ−２−エニル）ブタ−３−エン−２−オン、（Ｅ）−４−（２，６，６−トリメチル−１−シクロヘキサ−２−エニル）ブタ−３−エン−２−オン、（Ｅ）−１−（２，６，６−トリメチル−シクロヘキセン−１−イル）ペンタ−１−エン−３−オン、（Ｅ）−４−［（１Ｓ）−１，２，６，６−テトラメチルシクロヘキサ−２−エン−１−イル］−ブタ−３−エン−２−オン、１−（２，６，６−トリメチル−１−シクロヘキサ−２−エニル）ペンタ−１−エン−３−オン、［（Ｚ）−ヘキサ−３−エニル］メチルカルボネート、３−［（Ｚ）−ヘキサ−３−エノキシ］プロパンニトリル、１−（２，３，８，８−テトラメチル−１，３，４，５，６，７−ヘキサ−ヒドロナフタレン−２−イル）エタノン、スピロ［１，３−ジオキソラン−２，５’−（４’，４’，８’，８’−テトラメチル−ヘキサヒドロ−３’，９’−メタノナフタレン）］、［３Ｒ−（３α，３ａβ，６β，７β，８ａα）］−オクタ−ヒドロ−６−メトキシ−３，６，８，８−テトラメチル−１Ｈ−３ａ，７−メタノアズレン、［３Ｒ−（３α，３ａβ，７β，８ａα）］−１−（２，３，４，７，８，８ａ−ヘキサヒドロ−３，６，８，８−テトラメチル−１Ｈ−３ａ，７−メタノ−アズレン−５−イル）エタン−１−オン、１−（２，２，６−トリメチル−シクロヘキシル）ヘキサン−３−オール、６，６−ジメトキシ−２，５，５−トリメチルヘキサ−２−エン、２，６−ジメチルオクタ−７−エン−２−オール、３，７−ジメチルオクタ−１，６−ジエン−３−オール、（３，７−ジメチルオクタ−１，６−ジエン−３−イル）アセテート、（４−メチル−１−プロパン−２−イル−１−シクロヘキサ−２−エニル）アセテート、（８Ｅ）−シクロヘキサデカ−８−エン−１−オン、１，３，４，６，７，８−ヘキサヒドロ−４，６，６，７，８，８−ヘキサメチル−シクロペンタ（ｇ）−２−ベンゾピラン、エトキシメトキシ−シクロドデカン、１，１，２，３，３−ペンタメチル−２，５，６，７−テトラヒドロインデン−４−オン、１−（２，３，８，８−テトラメチル−１，３，４，５，６，７−ヘキサ−ヒドロナフタレン−２−イル）エタノンからなる群から選択される、フレグランス組成物にも関する。
【００２６】
好ましくは、式（Ｉ）の化合物の立体異性体の全量が、
【化２３】
2020536129.tif 000025
(I)
式（ＩＩ）の化合物の２種以上の立体異性体の嗅覚的印象を改質する、および／または増強する、好ましくは増強するのに十分である、本明細書に記載のフレグランス組成物である。
【化２４】
2020536129.tif 000026
(II)
【００２７】
さらに好ましくは、式（Ｉ）の化合物の立体異性体の全量が、
【化２５】
2020536129.tif 000027
(I)
フレグランス組成物の全質量に基づいて、０．０００１〜１０質量％、好ましくは０．００１〜５質量％、特に好ましくは０．０１〜１質量％である、本明細書に記載の本発明のフレグランス組成物、好ましくは香油である。
【００２８】
本発明のさらなる態様は、本明細書に記載の本発明の混合物、または好ましくは本明細書に記載の本発明のフレグランス組成物、好ましくは香油を、感覚有効量で含む付香製品であって、混合物またはフレグランス組成物の量が、製品の全質量に基づいて、好ましくは、０．０１〜１００質量％、好ましくは０．０２〜５０質量％、特に好ましくは０．１〜２０質量％の範囲であり、
好ましくは、製品が、香水抽出物、オーデパルファム、オードトワレ、髭剃りローション、オーデコロン、プレシェーブ製品（ｐｒｅ−ｓｈａｖｅ  ｐｒｏｄｕｃｔ）、スプラッシュコロン、香水入りリフレッシングティッシュ、酸性、アルカリ性、および中性の洗剤、布用芳香剤、アイロンがけ補助剤、液体洗剤、粉末洗剤、洗濯前処理剤、繊維用柔軟剤、洗濯石鹸、洗浄タブレット、消毒剤、表面消毒剤、消臭スプレー、エアゾールスプレー、ワックスおよび研磨剤、ボディケア製品、ハンドクリームおよびハンドローション、フットクリームおよびフットローション、脱毛クリームおよび脱毛ローション、アフターシェーブクリームおよびアフターシェーブローション、日焼けクリームおよび日焼けローション、ヘアケア製品、デオドラントおよび制汗剤、装飾用化粧品、ロウソク、ランプオイル、線香、殺虫剤、防虫剤、および燃料からなる群から選択される、付香製品に関する。
【００２９】
本発明の別の態様は、付香製品、好ましくは本明細書に記載の本発明の製品を製造する方法であって、
ｉ）本明細書に記載の本発明の混合物、または本明細書に記載の本発明のフレグランス組成物を用意するステップと、
（ｉｉ）製造される付香製品の、１種または複数の他の成分を用意するステップと、
（ｉｉｉ）ステップ（ｉｉ）で用意された他の成分を、感覚有効量の、ステップ（ｉ）で用意された成分と接触させる、または混合するステップと
を含む、方法にも関する。
【００３０】
上記の、本発明の態様について、本発明による使用に関して前述されたことは、好ましくは、上記の本発明の態様に準用されることになり、同様に、上記の本発明の態様に関して述べられたことは、本発明による使用に準用されることになる。さらに、本明細書に記載の実施形態は、技術的に妥当なものである限り、互いに、任意で組み合わせることができる。
本発明は、以下の実施例を用いてより詳細に説明される。別段の指示がない限り、全ての明細書は質量を参照する。
【実施例】
【００３１】
ピラノールおよびＡｍｂｒｏｃｅｎｉｄｅ（登録商標）の好ましい混合物
混合物１
【表１】
2020536129.tif 000028
効果：ピラノールのスズランの香りは、増強され、より簡明になり、より高い価値を伴う。
混合物２
【表２】
2020536129.tif 000029
効果：ピラノールのスズランの香りは、より永続的になり、より自然になり、混合物２をより価値あるものにする。
【００３２】
香油１
【表３】
2020536129.tif 000030
【００３３】
香油Ａ：スズランフレグランスであるＦｌｏｒｏｓａ（登録商標）を含む、標準フレグランス組成物
香油Ｂ：香油ＡからのＦｌｏｒｏｓａ（登録商標）をピラノールで置き換える。香油Ｂのフレグランスは、香油Ａに比べて、フローラルの香りが少なく、晴れやかさが乏しく、複雑さを失う。香油Ａのフレグランスは、フローラルの香りが少なく、晴れやかさが乏しく、複雑さが乏しい。
香油Ｃ：香油ＡからのＦｌｏｒｏｓａ（登録商標）を混合物１（上記の通り）で置き換える。香油Ｃのフレグランスは、香油Ｂよりもより晴れやかであり、より深みがあり、より良好な快楽性がある。
香油Ｄ：香油ＡからのＦｌｏｒｏｓａ（登録商標）を混合物２（上記の通り）で置き換える。香油Ｄのフレグランスは、香油Ｂに比べて、より強く、より永続的である。さらに、香油Ｄはまた、香油Ａよりも、より晴れやかであり、より複雑であり、全体としてより高性能である。
【００３４】
香油２
【表４】
2020536129.tif 000031
【００３５】
香油Ｅ：スズランフレグランスであるＦｌｏｒｏｓａ（登録商標）を含む、標準フレグランス組成物
香油Ｆ：Ｆｌｏｒｏｓａ（登録商標）を混合物１（上記の通り）で置き換える。フレグランスの嗅覚的な改善は低いが、Ｆｌｏｒｏｓａ（登録商標）を混合物１で置き換えることによって、原料費を節約することができる。
香油Ｇ：Ｆｌｏｒｏｓａ（登録商標）を混合物２（上記の通り）で置き換える。フレグランス組成物Ｇのフレグランスは、より強くなり、より永続的になり、組成物Ｅおよび組成物Ｆのものよりも、よりフローラルの特徴を有する。
【００３６】
付香製品
洗浄粉末
【表５】
2020536129.tif 000032
【００３７】
香油は、洗浄粉末に、この製品から期待される典型的な匂いをもたらす。その匂いは、清潔さおよび清々しさのメッセージを送る。この場合、フレグランスは、清々しさを表す、アルデヒドおよびシトラスの組み合わせで始まる。優しい特徴である、フローラルハートが続く。ベースノートは、森林、アンバー、麝香の特徴を有する、長続きする成分からなり、数日後でさえも、洗濯したばかりの印象を与える。
【００３８】
シャンプー
【表６】
2020536129.tif 000033
【００３９】
フレグランスである香油は、人が有する、製品の期待を伝達する。シャンプーの場合、洗浄およびケアが期待される。これは、フレグランスによって伝達される。清潔なリンゴ／シトラスの組み合わせは、洗浄部分を表すが、フレグランスの中心（フルーツのノートを含むフローラル）は、ケアの態様である。フレグランスの認識は、温かい、森林、麝香の成分によって仕上げられる。
【国際調査報告】
2020536129.tif 000058
2020536129.tif 000059
2020536129.tif 000060
2020536129.tif 000061
2020536129.tif 000062
2020536129.tif 000063
2020536129.tif 000064
2020536129.tif 000065